(57)【要約】【課題】シャツへの取り付けおよびシャツからの取り外しを容易にできる形状維持具を提供する。【解決手段】形状維持具11は、クリーニング済みのワイシャツに取り外し可能に取り付ける。形状維持具11は、襟の台襟部の一方側重合端部と襟の台襟部の他方側重合端部とを挟持する形状維持具本体31を備える。形状維持具本体31は、一方側重合端部の表面側を支持する表面側支持部33と、他方側重合端部の裏面側を支持する裏面側支持部34と、これら両支持部33，34を連結する弾性変形可能な連結部35とを有する。両支持部33，34は、一方側重合端部、第１ボタンおよび他方側重合端部を前後から挟持する。【選択図】図１
2012080945.tif 000002
【特許請求の範囲】
【請求項１】
クリーニング済みのシャツに取り外し可能に取り付けられ、前記シャツの襟の形状を維持する形状維持具であって、
ボタンで留められることなく互いに重なり合った前記襟の一方側重合端部と前記襟の他方側重合端部とを挟持する形状維持具本体を備え、
前記形状維持具本体は、
前記一方側重合端部の表面側を支持する表面側支持部と、
前記他方側重合端部の裏面側を支持し、前記一方側重合端部、前記ボタンおよび前記他方側重合端部を前記表面側支持部とともに挟持する裏面側支持部と、
前記表面側支持部と前記裏面側支持部とを連結する弾性変形可能な連結部とを有する
ことを特徴とする形状維持具。
【請求項２】
表面側支持部および裏面側支持部の少なくともいずれか一方は、ボタンと同じか、そのボタンよりも大きく形成されている
ことを特徴とする請求項１記載の形状維持具。
【請求項３】
表面側支持部は、一方側重合端部の表面側を支持する凹凸面状の支持面を有し、
裏面側支持部は、他方側重合端部の裏面側を支持する凹凸面状の支持面を有する
ことを特徴とする請求項１または２記載の形状維持具。
【請求項４】
形状維持具本体は、裏面側支持部に前方に向かって突出状に設けられた横ずれ防止用の突出部を有する
ことを特徴とする請求項１ないし３のいずれか一記載の形状維持具。
【発明の詳細な説明】
【技術分野】
【０００１】
本発明は、例えばワイシャツ等のシャツの襟の形状を維持する形状維持具に関する。
【背景技術】
【０００２】
例えばクリーニング店等で、クリーニング済みのワイシャツ（シャツ）をハンガーに吊り下げて立体仕上げにする場合において、例えば図１１に示すように、１番上のボタンである第１ボタン１を留めないと、ワイシャツ２の襟３が自重で開いて型崩れしてしまうおそれがある。
【０００３】
しかし、襟３の台襟部４の一方側重合端部５に形成されたボタン孔７に、襟３の台襟部４の他方側重合端部６に取り付けられた第１ボタン１を挿入する作業には、非常に手間がかかる。
【０００４】
そこで、例えば特許文献１に記載された形状維持具（襟部押え具）が知られている。
【０００５】
この形状維持具は、左右の突片を有する押え具本体と、この押え具本体に連設された折返片と、この折返片に連結された係止片と、押え具本体および折返片に設けられた係止手段とを備えている。そして、この形状維持具をワイシャツに取り付ける際には、左右の突片を台襟部と折返襟部との間に挿入した後、折返片を折り返して係止手段を係止状態にするとともに、係止片を台襟部の先端部分に係止させる。
【先行技術文献】
【特許文献】
【０００６】
【特許文献１】特開平９−１９１９８６号公報
【発明の概要】
【発明が解決しようとする課題】
【０００７】
しかしながら、上記従来の形状維持具では、確かに襟の形状を維持して襟の型崩れを防止できるが、例えば係止手段の係止突起を係止孔に対して係脱させる必要があるため、ワイシャツへの取り付けや、ワイシャツからの取り外しに手間取るおそれがある。
【０００８】
本発明は、このような点に鑑みなされたもので、シャツへの取り付けおよびシャツからの取り外しを容易に行うことができる形状維持具を提供することを目的とする。
【課題を解決するための手段】
【０００９】
請求項１記載の形状維持具は、クリーニング済みのシャツに取り外し可能に取り付けられ、前記シャツの襟の形状を維持する形状維持具であって、ボタンで留められることなく互いに重なり合った前記襟の一方側重合端部と前記襟の他方側重合端部とを挟持する形状維持具本体を備え、前記形状維持具本体は、前記一方側重合端部の表面側を支持する表面側支持部と、前記他方側重合端部の裏面側を支持し、前記一方側重合端部、前記ボタンおよび前記他方側重合端部を前記表面側支持部とともに挟持する裏面側支持部と、前記表面側支持部と前記裏面側支持部とを連結する弾性変形可能な連結部とを有するものである。
【００１０】
請求項２記載の形状維持具は、請求項１記載の形状維持具において、表面側支持部および裏面側支持部の少なくともいずれか一方は、ボタンと同じか、そのボタンよりも大きく形成されているものである。
【００１１】
請求項３記載の形状維持具は、請求項１または２記載の形状維持具において、表面側支持部は、一方側重合端部の表面側を支持する凹凸面状の支持面を有し、裏面側支持部は、他方側重合端部の裏面側を支持する凹凸面状の支持面を有するものである。
【００１２】
請求項４記載の形状維持具は、請求項１ないし３のいずれか一記載の形状維持具において、形状維持具本体は、裏面側支持部に前方に向かって突出状に設けられた横ずれ防止用の突出部を有するものである。
【発明の効果】
【００１３】
本発明によれば、シャツの襟の形状を維持して襟の型崩れを防止できるばかりでなく、シャツへの取り付けおよびシャツからの取り外しを容易に行うことができる。
【図面の簡単な説明】
【００１４】
【図１】本発明の第１の実施の形態に係る形状維持具の斜視図である。
【図２】同上形状維持具の正面図である。
【図３】同上形状維持具の側面図である。
【図４】図６のIV−IV端面図である。
【図５】同上形状維持具の使用状態を示す正面図である。
【図６】図５の部分拡大図である。
【図７】本発明の第２の実施の形態に係る形状維持具の斜視図である。
【図８】同上形状維持具の正面図である。
【図９】本発明の第３の実施の形態に係る形状維持具の使用状態を示す正面図である。
【図１０】同上形状維持具が備える形状維持補助体の斜視図である。
【図１１】シャツの襟が型崩れした状態を示す図である。
【発明を実施するための形態】
【００１５】
本発明の第１の実施の形態を図１ないし図６を参照して説明する。
【００１６】
図１ないし図６において、11は形状維持具で、この形状維持具11は、例えば大量のシャツであるワイシャツ12をクリーニング処理するクリーニング店において、ハンガー10に吊り下げられた状態のクリーニング済みのワイシャツ12に取り外し可能に取り付けられ、ワイシャツ12の襟13の形状を維持するものである。
【００１７】
つまり、形状維持具11は、クリーニング後にハンガー10に吊り下げられた立体仕上げのワイシャツ12に取り外し可能に取り付けられ、ワイシャツ12の襟13の形状を所望形状に維持してその襟13の型崩れを防止するものである。
【００１８】
ここで、ワイシャツ12の襟13は、ワイシャツ12の装着時に装着者（図示せず）の首回りを囲む帯状の台襟部14と、この台襟部14の上端部に縫い付けられ台襟部14の表面を覆うように外側に折り返された折返襟部（外襟部）15とを有している。
【００１９】
台襟部14は、一方側重合端部（ボタン孔側重合端部）16を長手方向一端部に有し、その一方側重合端部16と前後に重なり合う他方側重合端部（ボタン側重合端部）17を長手方向他端部に有している。一方側重合端部16には、水平方向長手状のボタン孔18が形成されている。他方側重合端部17には、ボタン孔18に挿入可能な襟留め用の１番上のボタン、つまり一方側重合端部16を他方側重合端部17に対して留めるための重合端部留め用の第１ボタン20が取付糸（図示せず）によって縫い付けられて取り付けられている。
【００２０】
なお、第１ボタン20がボタン孔18に挿入されることにより、前側の一方側重合端部16が後側の他方側重合端部に対して第１ボタン20で留められることになるが、形状維持具11を使用する場合には、第１ボタン20をボタン孔18に挿入する必要がなく、互いに対向する両重合端部16，17同士を第１ボタン20を介して互いに係合させなくてもよい。
【００２１】
また、ワイシャツ12の左前身頃21の端部には、一方側前立て部（ボタン孔側前立て部）22が設けられている。この一方側前立て部22には、上下方向長手状の複数のボタン孔23が互いに等間隔をおいて形成されている。なお、一方側前立て部22の上端部と一方側重合端部16の下端部とが接続されている。
【００２２】
さらに、ワイシャツ12の右前身頃24の端部には、他方側前立て部（ボタン側前立て部）25が設けられている。この他方側前立て部25には、複数のボタン26が一方側前立て部22のボタン孔23に対応して位置するように取付糸（図示せず）によって縫い付けられて取り付けられている。なお、他方側前立て部25の上端部と他方側重合端部17の下端部とが接続されている。
【００２３】
形状維持具11は、襟13の第１ボタン20で留められることなく互いに重なり合った台襟部14の一方側重合端部16と台襟部14の他方側重合端部17とを前後から挟持する形状維持具本体31のみによって構成されている。つまりこの形状維持具11は、１部品からなるものである。
【００２４】
そして、形状維持具本体31は、例えば合成樹脂或いは金属等によって、下方に向かって開口する側面視略コ字状をなすように一体に形成されており、この略コ字状の形状維持具本体31内に対して、ワイシャツ12の襟13の両重合端部16，17およびボタン孔18に対して非挿入状態である第１ボタン20が出し入れ可能に挿入される。
【００２５】
形状維持具本体31は、台襟部14の一方側重合端部16の表面（前面）と直接接触してこの一方側重合端部16の表面側を支持する棒状の表面側支持部33と、台襟部14の他方側重合端部17の裏面（後面）と直接接触してこの他方側重合端部17の裏面側を支持し、少なくとも一方側重合端部16と他方側重合端部17とこれら両重合端部16，17間に位置してボタン孔18に対して非挿入状態である第１ボタン20とを表面側支持部33とともに挟持する板状の裏面側支持部34と、これら表面側支持部33の上端部と裏面側支持部34の上端部とを連結する弾性変形可能な略逆Ｕ字状の連結部35とを有している。
【００２６】
表面側支持部33は、下端側が裏面側支持部34から離れるように中間の１箇所で折れ曲がった略く字状のもので、上下方向長手状に形成されている。つまり、表面側支持部33は、例えば裏面側支持部34と略平行に位置する支持棒状部41と、この支持棒状部41の下端部から前斜め下方に向かって一体に突出するガイド用の傾斜状の案内棒状部42とにて構成されている。
【００２７】
また、表面側支持部33は、襟13の台襟部14の一方側重合端部16の表面と直接接触してこの一方側重合端部16の表面側を支持する凹凸面状の支持面43を裏面側支持部34と対向する側の面である後面に有している。支持面43は、例えば上下方向に沿って進む波面状に形成されている。つまり、この支持面43は、後方に向かって凸の略円弧面状をなす複数の湾曲面部43aを有している。この各湾曲面部43aは、例えば第１ボタン20の前面側に形成された凹状部20a内に入り込む大きさに形成されている。なお、表面側支持部33の下端面は、略円弧面状に形成されている。
【００２８】
裏面側支持部34は、上下方向に長手方向を有する矩形板状に形成されている。裏面側支持部34は、第１ボタン20全体を後方から支持できるように、第１ボタン20よりも大きく形成されている。つまり、裏面側支持部34の左右方向長さ寸法および上下方向長さ寸法は、いずれも第１ボタン20の直径寸法よりも大きい。なお、裏面側支持部34は、第１ボタン20よりも大きく形成することが好ましいが、例えば第１ボタン20と同じ大きさに形成してもよい。
【００２９】
また、裏面側支持部34は、襟13の台襟部14の他方側重合端部17の裏面と直接接触してこの他方側重合端部17の裏面側を支持する凹凸面状の支持面44を表面側支持部33と対向する側である前面に有している。支持面44は、対向する支持面43と同様、例えば上下方向に沿って進む波面状に形成されている。つまり、この支持面44は、前方に向かって凸の略円弧面状をなす左右方向長手状の複数の湾曲面部44aを有している。
【００３０】
なお、表面側支持部33の支持面43の湾曲面部43aと、裏面側支持部34の支持面44の湾曲面部44aとは、互いに前後に一致しないように、上下方向に少しずれて位置している。
【００３１】
連結部35は、下方に向かって開口する側面視略逆Ｕ字状に形成されている。つまり、連結部35は、例えば表面側支持部33の上端部に支持棒状部41と連続するように連設された表面側棒状部46と、裏面側支持部34の上端面34aにおける左右方向中央部に連設された裏面側棒状部47と、これら表面側棒状部46と裏面側棒状部47とを繋ぐ逆Ｕ字状の弾性変形可能な弾性変形部である湾曲棒状部48とにて構成されている。
【００３２】
そして、両重合端部16，17およびこれら両重合端部16，17間に位置する非挿入状態の第１ボタン20が、表面側支持部33と裏面側支持部34との間に挿入されると、連結部35の湾曲棒状部48は、図３の２点鎖線および図４に示されるように、表面側棒状部46と裏面側棒状部47との離間距離が増大する開き方向にやや弾性変形する。
【００３３】
また、両重合端部16，17およびこれら両重合端部16，17間に位置する非挿入状態の第１ボタン20が、表面側支持部33と裏面側支持部34との間から抜かれると、連結部35の湾曲棒状部48は、図３の実線で示されるように、弾性復元力に基づいて元の形状に復帰する。このため、形状維持具本体31は、繰り返し何回でも使用可能である。
【００３４】
次に、形状維持具11の使用方法等について説明する。
【００３５】
例えばクリーニング店の店員は、立体仕上げにするクリーニング済みのワイシャツ12をハンガー10に吊り下げた後、そのワイシャツ12の襟13が型崩れしないように、形状維持具11である形状維持具本体31をワイシャツ12の襟13の前側の所定部位（両重合端部16，17）に取り付ける。
【００３６】
つまり、店員は、第１ボタン20をボタン孔18に挿入することなく、ハンガー10に吊り下げられた状態のクリーニング済みのワイシャツ12に対して形状維持具本体31を下方へ移動させることにより、形状維持具本体31の表面側支持部33と裏面側支持部34との間に、襟13の両重合端部16，17およびその間に位置した非挿入状態の第１ボタン20を挿入する。
【００３７】
すると、形状維持具本体31の前後の両支持部33，34によって、襟13の両重合端部16，17および非挿入状態の第１ボタン20が前後から挟持される。
【００３８】
このとき、連結部35の湾曲棒状部48が開き方向にやや弾性変形した状態となっているため、形状維持具本体31は、湾曲棒状部48の弾性復元力に基づく所定の挟持力をもって、襟13の両重合端部16，17および非挿入状態の第１ボタン20を挟持する。その結果、形状維持具本体31によって襟13の形状が維持され、襟13の型崩れが防止される。
【００３９】
次いで、店員は、ワイシャツ12全体を覆うように、ワイシャツ12に対してビニール袋（図示せず）を被せる。
【００４０】
なお、互いに重なり合った前立て部22，25に関しては、ボタン26をボタン孔23に所定数（例えば１個或いは２個）だけ挿入してもよく、また１個も挿入しなくてもよい。
【００４１】
また一方、形状維持具本体31をワイシャツ12から取り外す場合、ワイシャツ12に対して形状維持具本体31を上方へ移動させることにより、表面側支持部33と裏面側支持部34との間から、襟13の両重合端部16，17および第１ボタン20を抜けばよい。
【００４２】
そして、このような形状維持具11によれば、第１ボタン20をボタン孔18に挿入しなくても、ワイシャツ12の襟13の形状を維持して襟13の型崩れを防止できるばかりでなく、ワイシャツ12への取り付けおよびワイシャツ12からの取り外しを容易に行うことができ、よって、従来のものに比べて、クリーニング店の店員にとっても、またその店の顧客にとっても、使い勝手がきわめて良好である。
【００４３】
また、裏面側支持部34は、第１ボタン20と同じか、その第１ボタン20よりも大きく板状に形成されているため、裏面側支持部34によって第１ボタン20全体を後方から支持でき、ワイシャツ12の襟13の型崩れを適切に防止できる。
【００４４】
さらに、表面側支持部33は一方側重合端部16の表面側を支持する凹凸面状の支持面43を有し、裏面側支持部34は他方側重合端部17の裏面側を支持する凹凸面状の支持面44を有するため、形状維持具本体31の不用意な脱落を防止でき、ワイシャツ12の襟13の型崩れをより一層適切に防止できる。
【００４５】
また、形状維持具本体31は繰り返し何回でも使用することができるため、クリーニング店は顧客から回収して再利用することができる。
【００４６】
さらに、形状維持具11が、１部品である形状維持具本体31のみにて構成されているため、非常にシンプルな構成であり、形状維持具本体31も簡単に製造でき、従来のものに比べて、コスト低減を図ることができる。
【００４７】
なお、形状維持具本体31は、例えば図７および図８に示す第２の実施の形態のように、裏面側支持部34の左右方向両端側に前方に向かって突出状に一体に設けられ形状維持具本体31のワイシャツ12への取り付け状態時には間に第１ボタン20が位置する横ずれ防止用の突出部51を有するものでもよい。
【００４８】
つまり、この第２の実施の形態では、第１ボタン20と同じかその第１ボタン20よりも大きく形成された裏面側支持部34の左右方向両端部には、形状維持具本体31のワイシャツ12に対する横ずれ（左右方向の移動）を防止するための上下方向長手状の突出部51が前方に向かって一体に突設されている。このため、形状維持具本体31をワイシャツ12に取り付けた際には、第１ボタン20が左右の両突出部51間に位置する。
【００４９】
そして、この第２の実施の形態によれば、前記第１の実施の形態の作用効果に加えて、形状維持具本体31のワイシャツ12に対する横ずれを適切に防止でき、ワイシャツ12の襟13の型崩れを適切かつ効果的に防止できる。
【００５０】
また、形状維持具11は、形状維持具本体31のみからなるものには限定されず、例えば図９および図１０に示す第３の実施の形態のように、台襟部14と折返襟部15との間に挿入される左右の挿入部54を有する板状の形状維持補助体55と、上述した図１や図７等に示す形状維持具本体31とを備えたものでもよい。
【００５１】
形状維持補助体55は、例えば厚紙或いは合成樹脂等によって、正面視略Ｖ字状をなすように一体に平板状に形成されている。つまり、形状維持補助体55は、台襟部14の一方側重合端部16の表面と接触する基部53と、この基部53の両側端部から横斜め上方に向かって突出する挿入部54とを有している。
【００５２】
このため、形状維持具本体31がワイシャツ12に取り付けられると、形状維持具本体31の表面側支持部33と裏面側支持部34とによって、形状維持補助体55の挿入部54と、襟13の両重合端部16，17と、これら両重合端部16，17間に位置する非挿入状態の第１ボタン20とが前後から挟持される。
【００５３】
そして、この第３の実施の形態によれば、前記第１や第２の実施の形態の作用効果に加えて、形状維持補助体55によってもワイシャツ12の襟13の形状を維持することができ、ワイシャツ12の襟13の型崩れをより一層適切かつ効果的に防止できる。
【００５４】
また、上記実施の形態では、表面側支持部33が棒状に形成されかつ裏面側支持部34が第１ボタン20と同じかその第１ボタン20よりも大きく板状に形成された構成について説明したが、例えば図示しないが、裏面側支持部34が棒状に形成されかつ表面側支持部33が第１ボタン20と同じかその第１ボタン20よりも大きく板状に形成された構成でもよく、この場合には、表面側支持部33が第１ボタン20全体を前方から支持する。
【００５５】
さらに、例えば表面側支持部33および裏面側支持部34の両方を第１ボタン20と同じかそれよりも大きく形成するようにしてもよい。
【００５６】
また、表面側支持部33や裏面側支持部34の形状は、矩形板状や円形板状以外に、例えば多角形の板状や、上下方向の長辺を有する楕円板状等でもよい。
【００５７】
さらに、表面側支持部33の支持面43や裏面側支持部34の支持面44は、凹凸面状のものには限定されず、例えば平らな平面状のものでもよい。
【００５８】
また、形状維持具11が取り付けられるシャツは、ワイシャツ12には限定されず、襟を有するシャツであれば、ブラウス等でもよい。
【００５９】
さらに、形状維持具11は、立体仕上げのシャツ以外に、畳み仕上げのシャツに対して使用することが可能である。
【符号の説明】
【００６０】
11    形状維持具
12    シャツであるワイシャツ
13    襟
16    一方側重合端部
17    他方側重合端部
20    ボタンである第１ボタン
31    形状維持具本体
33    表面側支持部
34    裏面側支持部
35    連結部
43    支持面
44    支持面
51    突出部
【図１】
2012080945.tif 000003
【図２】
2012080945.tif 000004
【図３】
2012080945.tif 000005
【図４】
2012080945.tif 000006
【図５】
2012080945.tif 000007
【図６】
2012080945.tif 000008
【図７】
2012080945.tif 000009
【図８】
2012080945.tif 000010
【図９】
2012080945.tif 000011
【図１０】
2012080945.tif 000012
【図１１】
2012080945.tif 000013